(57)【要約】本発明は、蝶番装置で互いに結合され、かつ周縁部が互いに接触した状態である閉位置に取外し可能に固定するための手段７を備えた２つの入れ物部分４及び５からなるケース１２に関する。一方の入れ物部分５は、ケースが開位置にあるときに正面が見られるビデオディスプレイ装置３を着脱自在に収容し、他方の入れ物部分４は、前記ディスプレイ装置３等に関連する電子コンソール２を収容するべく構成されている（前記コンソール２は、例えばＤＶＤプレイヤーやゲームコンソール等である）。このケースはさらに、ディスプレイ装置３及び電子コンソール２の上の取外し可能なプラグコネクタを末端とする少なくとも１つの電源用差込式接続手段と、電子コンソール２とビデオディスプレイ装置３との間の音声／映像信号用の着脱自在なプラグを備えた内部配線システムとを有する。
2005525856.tif 000002
【特許請求の範囲】
【請求項１】
ビデオプレイヤーやゲームコンソール等のコンソール（２）と、関連する別体のディスプレイ装置とを含むビデオアセンブリを収容するためのケースであって、
蝶番装置（６）によって相互に結合された２つの入れ物部分（４，５）を有し、前記２つの入れ物部分は、両者の周縁部が互いに接触した状態である閉位置にそれらを取外し自在に固定できるようにする手段（７）を備え、前記２つの入れ物部分の一方（５）は、前記ディスプレイ装置（３）を、前記ケースが開位置にあるときに前記ディスプレイ装置の前面を見ることができるような形態で着脱自在に収容するのに適合されており、前記入れ物部分の他方（４）は、同様に着脱自在な形で関連する前記コンソール（２）を収容するのに適合されており、
前記ケースは更に、
前記２つの入れ物部分（４，５）の一方に設けられた少なくとも１つの電源接続ソケット（２８）と、
前記電源接続ソケットから引かれた、前記ディスプレイ装置（３）及び前記コンソール（２）への接続のための２つの着脱自在なジャックを末端に有する内部電力供給配線（３１，３２）と、
前記コンソール（２）と前記ディスプレイ装置（３）との間の音声／映像リンクのための着脱自在なジャックを備える内部配線システム（３３）とを有することを特徴とするケース。
【請求項２】
前記コンソール（２）のための前記入れ物部分（４）が、取外し自在または部分的に取外し自在な上側面（１４）を備えた収容のためのハウジング（１２）を有し、前記コンソールが収容された状態で使用可能となっていることを特徴とする請求項１に記載のケース。
【請求項３】
前記コンソール（２）を収容するための前記ハウジング（１２）の前記上側面（１４）が柔軟な材料製であり、かつ前記コンソール（２）の一定の機能を有する部品に対してアクセス・操作可能とする少なくとも１つの透明な部分を有することを特徴とする請求項２に記載のケース。
【請求項４】
電力供給配線（３１，３２）及びコンソール／ディスプレイ装置間リンク用の内部配線システム（３３）のための区画空間（１６）を有し、
前記区画空間（１６）は、前記コンソール（２）を収容するための前記入れ物部分（４）において、前記ハウジング（１２）の後ろの前記蝶番装置（６）側に設けられ、前記配線システム（３１，３２，３３）を通すことが可能な開口または穴を備えていることを特徴とする請求項１乃至３の何れかに記載のケース。
【請求項５】
前記ディスプレイ装置（３）のための前記入れ物部分（５）が、取外し自在な留め部材（１８）を備えた、前記ディスプレイ装置（３）を嵌め込むための受容部（１７）を有することを特徴とする請求項１乃至４の何れかに記載のケース。
【請求項６】
前記ディスプレイ装置（３）を取外し自在に嵌め込むための前記受容部（１７）が、保護用材料のブロック（２３）に固定され、前記保護用材料のブロック（２３）自は、対応する前記入れ物部分（５）のケーシングに固定されることを特徴とする請求項５に記載のケース。
【請求項７】
前記２つの入れ物部分（４，５）の開く角度を制限するための部材（８）を有することを特徴とする請求項１乃至６の何れかに記載のケース。
【請求項８】
補足的な電源接続ソケット（２８´）及び音声／映像接続ソケット（４２）を有し、これらのソケット（２８´，４２）は外部のディスプレイ装置（３，３´）のために内部配線システム（３１，３２，３３）に接続されていることを特徴とする請求項１乃至７の何れかに記載のケース。
【請求項９】
請求項１乃至８の何れかに記載のケースを有するビデオ装置であって、
商用電源または自動車のシガーライターソケットに前記電源接続ソケット（２８）を接続するための少なくとも１本の電源ケーブル（２９，３０）を、前記ディスプレイ装置（３）が収容される一方の前記入れ物部分（５）または前記コンソールが嵌め込まれる他方の入れ物部分（４）に備えることを特徴とするビデオ装置。
【請求項１０】
前記ケースが、前記ディスプレイ装置（３）を取外し自在に嵌め込むための受容部（１７）を有し、前記受容部（１７）は取外し自在な留め部材（１８）を備えており、前記受容部の取外し自在な留め部材は、前記ディスプレイ装置（３）に設けられた対応する留め部材（１９）と協働することを特徴とする請求項９に記載のビデオ装置。
【請求項１１】
請求項８に記載のケースと、
外部のディスプレイ装置（３，３´）への電力及び電気信号の供給に適した配線システム（４３）とを有することを特徴とする請求項９若しくは１０に記載のビデオ装置。
【発明の詳細な説明】
【技術分野】
【０００１】
本発明は、電子コンソール（ＤＶＤ、ＳＶＣＤ、ＶＣＤプレイヤー、ゲームコンソール等）と、関連する別体のディスプレイ装置（液晶ディスプレイ装置、ＣＲＴディスプレイ装置、プラズマディスプレイ装置等）とからなるビデオアセンブリを収容するための、ケース状またはバッグ状の入れ物に関するものである。また本発明は、このケースまたはバッグと、電子コンソールと、関連するディスプレイ装置とからなる一式のビデオ装置にも関連する。
【背景技術】
【０００２】
従来より公知のケースまたはバッグの構造は、例えばＤＶＤ等のビデオアセンブリのような、プレイヤーを構成する電子コンソール形態の第１の箱状体と、関連するディスプレイ装置を構成する第２の箱状体とを有するビデオアセンブリを収容するのに適したものではなく、また、このような構造は、一体型のビデオアセンブリ即ちコンソール及びディスプレイ装置を一体に収めたビデオアセンブリ用としてもあまり適したものではなかった。
【発明の開示】
【発明が解決しようとする課題】
【０００３】
本発明の目的は、電子コンソールとそのディスプレイ装置を収容するのに特に適したケースまたはバッグ形態の新規な入れ物構造を提供することにあり、これによってアセンブリを収容・運搬できるようにし、コンソールとディスプレイ装置を効率的かつ実際的に利用できるようにすることある。
【課題を解決するための手段】
【０００４】
本発明によれば、この電子コンソールとビデオディスプレイ装置を収容するためのケースは、蝶番装置によって互いに結合された２つの入れ物部分からなり、それらを取外し自在に閉位置、即ち両部品がその周縁部において互いに接触した状態となる位置に固定できるようにする手段を備えており、前記入れ物部分の一方はケースが、開位置にあるときにビデオディスプレイ装置の正面が見られるような形態でビデオディスプレイ装置を取外し自在に収容するのに適したものであり、前記入れ物部分の他方は、関連する電子コンソールを同様に取外し自在に収容するのに適したものである。前記ケースはさらに、前記入れ物部分の一方の設けられた少なくとも１つの電源用接続ソケットを備えており、そこからディスプレイ装置及び電子コンソールへの接続のための２つの着脱自在ジャックを末端とする内部電源配線が引かれており、前記ケースはさらに、電子コンソールとディスプレイ装置との間の音声／映像信号接続用の着脱自在ジャックを備えた内部配線システムも有している。
【０００５】
特定の実施形態では、電子コンソール用の入れ物部分は、内部に収容されたコンソールを利用できるようにするための取外し自在または部分的に取外し自在な上側部を備えた収容ハウジングを有する。
【０００６】
好ましくは、この上側部は柔軟な材料製であり、電子コンソールの機能部材にアクセス・操作できるようにするための少なくとも１箇所の透明な部分を有する。
【０００７】
別の特徴によれば、本発明のケースは電源配線及びコンソール／ディスプレイ装置接続システムのための特別な区画空間を有する。この区画空間は、電子コンソールを収容するための入れ物部分の蝶番装置側の前記コンソールのハウジングの裏側に設けられており、前記配線システムを通す内部の開口または穴を備えている。
【０００８】
ディスプレイ装置収容のための入れ物部分は、取外し自在な留め部材を備えた前記ディスプレイ装置嵌め込み用受容部を有する。好ましくは、この受容部は保護用材料（例えば発泡材料）のブロックに固定され、このブロック材料自体は、対応する入れ物部分のケーシングに固定される。
【０００９】
別の特徴によれば、本発明によるケースは、２つの入れ物部分の開く角度を制限するための部材を有する。
【００１０】
特定の実施形態によれば、このケースは、電源用差込式接続ソケットと、内部配線システムに接続された音声／映像用の接続ソケットとを有する。この特徴によって、ケースから取り出したディスプレイ装置や、別体の第２のディスプレイ装置に電源を供給することが可能となる。
【００１１】
また本発明は、上記のようなケースであって、その入れ物部分の一方にはディスプレイ装置が収められ、他方の入れ物部分には電子コンソールが挿入され、また電源プラグまたは自動車のシガーライターソケット等と電源接続ソケットとを接続するための少なくとも１つの電源ケーブルを備えており、その他例えばリモートコントロールやオーディオヘッドセット等の各種アクセサリをも備え得る、該ケースからなるビデオ装置にも関連する。
【００１２】
特に有利な実施形態では、このビデオ装置のケース内において、ディスプレイ装置を取外し可能に嵌め込むための受容部に留め部材が設けられ、この留め部材は前記ディスプレイ装置上に設けられた対応する留め部材と協働する。
【００１３】
特定の実施形態では、このケースは、２つの電源接続ソケットと、音声／映像リンクのための接続ソケットとをその外部ケーシング上に有しており、かつこのケースは、別体の第２のディスプレイ装置と、この第２のディスプレイ装置の音声／映像リンクと電力供給に適した配線システムとを備える。
【００１４】
しかし、本発明については、以下、発明の限定を意図しない添付の図面に示す２つの実施例を挙げてさらに詳細に説明する。
【発明を実施するための最良の形態】
【００１５】
図１乃至図７に示すケースまたはバッグ１は、ここではＤＶＤプレイヤー及びディスプレイ装置を例にとっている、電子コンソール２及びディスプレイ装置３を収容できる。このケースまたはバッグは、プレイヤー２とディスプレイ装置３との間の電気的接続のための内部に組み込まれた配線を有し、またＤＶＤビデオディスクを見るための部分を備えている。
【００１６】
このケースまたはバッグ１は、その底部領域の位置で蝶番装置６によって結合され、かつ他の３つの側の周縁部、即ち両側部と前側部の周縁部上に滑り留め具７を備えた平行六面体形状の２つの入れ物部分４及び５を有する。
【００１７】
滑り留め具７によって、２つの入れ物部分４及び５を閉位置に、即ち前記入れ物部分４及び５がそれらの周縁部において互いに結合された状態に、取外し自在に固定することができる。このケースが開かれたとき、２つの入れ物部分４及び５が開いた角度は、図３に見られる両側面にある２つの柔軟なタブ８が存在することによって制限され、これらの２つの柔軟なタブ８は、長さを調節可能なものとしたり、入れ物部分４及び５に例えば押しボタン式に着脱自在に取付けられるものとすることができる。
【００１８】
２つの入れ物部分４及び５の外部ケーシングは柔軟な材料、例えば衝撃を吸収できるような一定の厚さを有する発泡材または他の材料と結合された織地、プラスチック、または皮等の材料製であり得る。
【００１９】
そこから派生する実施形態においては、このケーシングは、蝶番装置によって固定された堅いシェルの形態をとり、前記蝶番の反対側に１個以上の留め具を設けた形態であり得る。
【００２０】
図１及び図３において、ケースが前側部、即ち前記蝶番６の反対側に握りハンドル１０を備えていることに注目されたい。図に示す実施例では、このハンドル１０は、入れ物部分５に固定されており、この入れ物部分５は入れ物部分４より僅かに厚くなっている。
【００２１】
入れ物部分４の内側面は、ＤＶＤプレイヤー等のコンソール２を収容するように構成されている。
【００２２】
この入れ物部分４は、利用できる容積の大部分を占めており、収容の目的のために、横側のリング状部材である壁部１３と上側面１４によって画成されたハウジング１２を備えている。
【００２３】
横側の壁部１３は、例えば織地または合成材料等の柔軟な材料からなり、縫合または接着によって入れ物部分４のケーシングに固定され得る。好ましくは、電子コンソール２を効果的に保護できるように、少なくともこれらの横側の壁部１３が入れ物部分４のケーシングの横側部に対して僅かに後退した位置に配置される。
【００２４】
上側面１４は、横側の壁部１３の上側縁部に固定される。前側部及び両側部においてこの固定は滑り留め具１５によって達成され、ＤＶＤプレイヤー２のハウジング１２内への収容、及びそこからの取り出しができるようにする。
【００２５】
また、この上側面１４は、織地または合成布地の柔軟な材料製であり、好ましくは、透明な部分（プラスチック材料または網状の構造物）を有するか、全体を透明な材料から構成して、前記コンソールがそのハウジング１２内に収められているときに、コンソール２の機能押しボタンを操作できるようにする。
【００２６】
前述のように、入れ物部分４の両側と壁部１３のリング状部材との間に多少の空間が設けられ、この空間が、その機能を後記する、ケースの底側即ち蝶番６側の特別な区画空間１６となる。
【００２７】
入れ物部分５の内側面は、ＤＶＤディスプレイ装置３を収容し、特にケースが開位置（図３参照）にあるときに、このディスプレイ装置の前面を見ることができるように構成されている。
【００２８】
このため、図に示す実施例では、入れ物部分５が、ディスプレイ装置３を取外し自在に嵌め込むことによって効果的に保持するのに適した箱型の受容部１７を有している。受容部１７の寸法はディスプレイ装置３の寸法の合わせられており、受容部１７とディスプレイ装置３は相互補完的な留め部材１８及び１９を有し、これによって、ディスプレイ装置３を、前記受容部１７のなかに嵌め込んだ後、着脱自在に固定できるようにしている。
【００２９】
留め部材１８及び１９は、それが備えられた各要素の両側に設けられており、受容部１７からのディスプレイ装置３の取外しは、これらの留め部材を、例えば非常に薄いカードを両要素の間に差し込んで部材を外すことによって行うことができる。
【００３０】
嵌め込み受容部１７は、保護用材料のブロック２３（例えば、発泡材のブロック）上の入れ物部分５に取り付けるのが有利である。このことは図４及び図５に示すようにフード２４によって達成される。これらの２つの図面に示すように、受容部１７は、クランプ留め用のカラーまたはバンド２５によってフード２４内に設けられた開口の縁に固定される。また、単なる接着によって固定することもできる。
【００３１】
このように設けられた受容部１７は、発泡材のブロック２３内に設けられた適切な平行六面体の形状の収容部２６に収容され、フード２４はこの発泡材ブロックの上側面上及び側面上に、例えば接着剤等によって固定され、美的な仕上げがなされる。フード２４の材料（皮、織地、合成皮革等）は、所望の視覚的効果を得るように特定のものが選択される。
【００３２】
嵌め込み受容部１７及びフード２４を備えた発泡材ブロック２３は、何らかの適切な手段、特に接着剤を用いることによって入れ物部分５のケーシングの内部に固定される。
【００３３】
図６に示すように、変形実施例の１つでは、発泡材ブロック２３の上側面が、例えば接着剤によって固定された仕上げ装飾部２７を備え得る。ディスプレイ装置３を収容するための箱状部１７は、発泡材ブロック２３の収容部２６に単に接着によって固定されるか、圧入状態で嵌め込まれ得る。
【００３４】
ケース１に組み込まれたビデオアセンブリ（プレイヤー＋ＤＶＤディスプレイ装置）を動作可能とする電気的接続の詳細は、図７に示されている。
【００３５】
この図面では、ケースの外部ケーシングに設けられた、特に図に示す実施例では入れ物部分４の区画空間１６から壁を挟んで反対側に設けられた電源接続ソケット２８の存在に注目されたい。この電源接続ソケット２８は、図１にも見られるように、適切な着脱自在ジャック３０を備えた接続ケーブル２９よって、商用電源か自動車のシガーライターソケットに挿入できるようになっている。
【００３６】
接続ソケット２８からは、ＤＶＤプレイヤー２及びＤＶＤディスプレイ装置３にそれぞれ電源を供給するための組み込み配線３１及び３２が引かれている。これらの２本の配線３１及び３２は、その末端に装置に接続するのに適した形状の着脱自在ジャックを備えている。
【００３７】
さらにプレイヤー２及びディスプレイ装置３は、その両端に適切な種類の着脱自在ジャックを備えた音声／映像リンクを確保するための各種配線３３（詳しくは、映像信号線と２本の左右の音声信号線）によって接続されている。
【００３８】
有利な実施態様では、ディスプレイ装置３への接続のための４本の配線が、前記ディスプレイ装置への適切な接続手段に挿入するための単一のジャック（ＲＣＡ型またはＤＣ型または類似の種類のジャック）が一端に設けられる形で一つにまとめられる。
【００３９】
各種配線３１、３２、及び３３は、区画空間１６の底部を通され、次いでリング状の壁部１３、ケーシング２４、発泡材のブロック２３及び箱状部１７に設けられた適切な開口部または穴を通して引き回され、対応する装置に達している。特に図３に示すように、受容部１７に設けられた穴３４と、発泡材ブロック２３に設けられたチャネル３５が、ＤＶＤディスプレイ装置３への電源線を確保している点に注目されたい。
【００４０】
区画空間１６においては、各種配線を、例えば自動接着性のストリップからなる装置によって固定された着脱自在なフラップによって隠してもよい。
【００４１】
本発明によるケースは、ビデオ装置の実現を可能または容易にするような各種アクセサリ：即ち、
・シガーライターソケットを有する１２Ｖ電源ケーブル、
・変圧器（１２Ｖ／２２０Ｖ）を備えた商用電源ソケット付ケーブル、
・ヘッドフォン、及び
・図８に示すようなディスプレイ装置３７と一体になったヘッドレストカバー３６
等を備えているのが好ましい。
【００４２】
このヘッドレストカバー３６は、前述のような受容部１７に類似したディスプレイ装置用受容部３７を備えており、そこにＤＶＤディスプレイ装置３７を収容させて、ヘッドレストの後側面に位置させ、必要な電源に接続した後に自動車の後部座席からＤＶＤディスクを観賞することを可能とするものである。
【００４３】
これらの各種アクセサリは、ケースの利用可能な空間、即ちハウジング１２の周囲や、２つの入れ物部分４及び５同士の間や、若しくは外部ケーシングに設けられた1個以上の補足的なパウチ等に収められる。
【００４４】
図１及び図２に示すように、蛇腹型の袋の形態を有する補足的なパウチ３８は、入れ物部分４及び５の一方の外部表面全体の上に設けられ得る。このパウチ３８は、滑り留め具３９によって取付けることができ、それ自身が備える同様の滑り留め具等の開閉装置４０を有する。
【００４５】
図１において破線で示すように、ケースのハンドル１０に２つのスナップ式留め具４１が設けられる。これらのスナップ式留め具４１によって、例えば自動車等の座席のヘッドレストの固定ロッド上にこのケースを固定することが可能となる。
【００４６】
図９及び図１０に示すのは、本発明の別の実施形態である。
【００４７】
この実施形態では、ケースが前述した実施例の全ての装備及びそれらの接続構造に加えて、その外部ケーシングが、補足的な電源接続ソケット２８′と、音声／映像接続ソケット４２を備えており、これによって受容部１７から取り外されたビデオディスプレイ装置３或いは独立した別体の第２のディスプレイ装置３′の何れにも外部から電気信号を供給することができる。
【００４８】
図１０にも見られるように、２つの電源接続ソケット２８及び２８′は、互いに接続されており（また、それらの接続ソケットのそれぞれから電源配線３１及び３２が内部に引かれている）、さらに各音声／映像接続ソケット４２は、内部に組み込まれた音声／映像配線３３の１本に適切な形で電気的に接続される。
【００４９】
電源配線及び音声／映像接続配線からなる適切な配線システム４３は、外部のビデオディスプレイ装置３または３′への電力及び電子信号の供給を確保するために設けられる。
【００５０】
このケースの２つの実施態様について説明したが、これらの実施態様は電子コンソールの関連するディスプレイ装置を最も適切な形で収容できる。これによって得られるビデオ装置は非常にシンプルで、適切な電源が供給される場所であればどこでも実用的な利用が可能なものである。このケースは特にＤＶＤプレイヤーとそのディスプレイ装置の収容のために適合されているが、同様に他の種類のビデオアセンブリ、例えばゲームコンソールとそのディスプレイ装置を収容することもできる。
【図面の簡単な説明】
【００５１】
【図１】閉位置にある、本発明によるケースまたはバッグの斜視図。
【図２】図１に示すケースの平面図。
【図３】ＤＶＤプレイヤー、及び（ケースから取外された状態の）関連するディスプレイ装置を備えた、開位置にある図１及び図２のケースの斜視図。
【図４】図３の線４−４で切った断面で示す、ＤＶＤディスプレイ装置を収容する入れ物部分の分解図。
【図５】図４に示すようにディスプレイ装置嵌め込み用受容部を保護用発泡材ブロックに固定する原理の詳細を示す図。
【図６】各種部品を分解図として示した、ディスプレイ装置用受容部を発泡材ブロックに固定する別法を示す断面図。
【図７】ケースに組み込まれたプレイヤー／ディスプレイ装置のリンクと電源配線システムを示す図。
【図８】本発明によるケースに挿入できるアクセサリを構成するヘッドレストカバーに固定されたディスプレイ装置嵌め込み用受容部の斜視図。
【図９】本発明によるケースの別の実施態様の斜視図。
【図１０】図９に示すケースのプレイヤー／ディスプレイ装置リンク及び電源配線システムの概略図。
【図１】
2005525856.tif 000003
【図２】
2005525856.tif 000004
【図３】
2005525856.tif 000005
【図４】
2005525856.tif 000006
【図５】
2005525856.tif 000007
【図６】
2005525856.tif 000008
【図７】
2005525856.tif 000009
【図８】
2005525856.tif 000010
【図９】
2005525856.tif 000011
【図１０】
2005525856.tif 000012
【国際調査報告】
2005525856.tif 000013
2005525856.tif 000014
2005525856.tif 000015
2005525856.tif 000016
2005525856.tif 000017
2005525856.tif 000018